(57)【要約】【課題】簡単な構造で、計かった量の微調整ができ、手などを汚すことのない粉粒体計量機能付容器を提供する。【解決手段】上端部分に円形部１２を有する容器本体１０と、円形部に回転可能に嵌合する嵌合部２１を有するキャップ２０からなる粉粒体計量機能付容器１００であって、キャップが、嵌合部の上方に水平に設けられた天板部分２２と、天板部分のないキャップ側開口部２３と、キャップ側開口部に被さるように、部分的に設けられたドーム形状の計量部２４からなり、容器本体は、その上端部に天面板１３が設けられ、天面板には本体側開口部１４が設けられ、天面板は、キャップの天板部分と近接するように設けられ、天面板には、本体側開口部を塞ぐようにシールされたインナーシール材１５が設けられている。【選択図】図２
2015221681.tif 000002
【特許請求の範囲】
【請求項１】
上端部分に円形部を有する容器本体と、前記円形部に回転可能に嵌合する嵌合部を有するキャップからなる粉粒体計量機能付容器であって、
前記キャップが、前記嵌合部の上方に水平に設けられた天板部分と、該天板部分のないキャップ側開口部と、該キャップ側開口部に被さるように、部分的に設けられたドーム形状の計量部からなることを特徴とする粉粒体計量機能付容器。
【請求項２】
前記容器本体の上端部に天面板が設けられ、該天面板に本体側開口部が設けられ、該天面板は、前記天板部分と近接するように設けられていることを特徴とする請求項１に記載の粉粒体計量機能付容器。
【請求項３】
前記天面板に、前記本体側開口部を塞ぐようにシールされたインナーシール材が設けられていることを特徴とする請求項２に記載の粉粒体計量機能付容器。
【請求項４】
前記計量部には、複数の目盛が設けられていることを特徴とする請求項１から３のいずれか１項に記載の粉粒体計量機能付容器。
【請求項５】
前記計量部には、その端部近傍に、外側に飛び出した縁部からなる、計量した粉粒体を排出するためのガイド部が設けられていることを特徴とする請求項１から４のいずれか１項に記載の粉粒体計量機能付容器。
【発明の詳細な説明】
【技術分野】
【０００１】
本発明は、粉粒体計量機能付容器に関するものである。詳しくは、粉体又は粒体の内容物を所定量計量して振り出せるようにした粉粒体計量機能付容器に関するものである。
【背景技術】
【０００２】
包装容器などに収納された、粉体や粒体状の食品、洗剤、医薬品などの内容物は、所定の量をスプーンなどで計量して用いられるのが一般的である。
【０００３】
例えば、缶入りの粉ミルクなどでは、添付された計量スプーンで、内容物を掬い取って、スプーンより上にはみ出した内容物を摺り切って計量している。そのために、収納する缶自体に摺り切り板を設けたものがある（特許文献１）。
【０００４】
この場合、スプーンを別途用意する必要があり、また、スプーンを缶の中に入れておくとスプーンの柄の部分に粉ミルクなどが付着してしまい、再度使用するときに手について汚れてしまうなどの問題があった。
【０００５】
このような計量スプーンなどを用いる必要のない容器として、計量機能を備えた包装容器や、容器本体に取り付ける計量装置がある。例えば、導入手段と、計量手段と、放出手段を有する粉状体計量装置がある（特許文献２）。
【０００６】
この粉状体計量装置の第１実施例では、導入手段の導入口から計量手段の計量部に粉状体を導入し、計量手段を回転させ、計量部を放出手段の放出口に対向させて、計量された粉状体を放出するようになっている。この操作を複数回繰り返すことによって、所定量の複数倍の粉状体を得ることができる。
【０００７】
また、第３実施例では、容量の異なる２つの計量部を設け、異なる量の粉状体を放出できるようになっている。しかし、この粉状体計量装置では、所定の定められた量が測れるが、微増・微減といった人為的な操作を行うことができない。また、計量部の中が見えないため、所定の量がきちんと入っているかを確認することが出来ない。また、計量部が導入口から完全に外れる前に、計量部が放出口に対向し始め、余分に放出される恐れがある。更には構造が複雑で、部品点数が多い。
【０００８】
公知文献を以下に示す。
【先行技術文献】
【特許文献】
【０００９】
【特許文献１】実公昭４５−１９６８０号公報
【特許文献２】特開平８−７２９１４号公報
【発明の概要】
【発明が解決しようとする課題】
【００１０】
本発明は上記のような事情に鑑みてなされたもので、簡単な構造で、計かった量の微調整ができ、手などを汚すことのない粉粒体計量機能付容器を提供することを課題としている。
【課題を解決するための手段】
【００１１】
本発明は係る課題に鑑みなされたものであり、請求項１の発明は、上端部分に円形部を
有する容器本体と、前記円形部に回転可能に嵌合する嵌合部を有するキャップからなる粉粒体計量機能付容器であって、
前記キャップが、前記嵌合部の上方に水平に設けられた天板部分と、該天板部分のないキャップ側開口部と、該キャップ側開口部に被さるように、部分的に設けられたドーム形状の計量部からなることを特徴とする粉粒体計量機能付容器である。
【００１２】
本発明の請求項２の発明は、前記容器本体の上端部に天面板が設けられ、該天面板に本体側開口部が設けられ、該天面板は、前記天板部分と近接するように設けられていることを特徴とする請求項１に記載の粉粒体計量機能付容器である。
【００１３】
本発明の請求項３の発明は、前記天面板に、前記本体側開口部を塞ぐようにシールされたインナーシール材が設けられていることを特徴とする請求項２に記載の粉粒体計量機能付容器である。
【００１４】
本発明の請求項４の発明は、前記計量部には、複数の目盛が設けられていることを特徴とする請求項１から３のいずれか１項に記載の粉粒体計量機能付容器である。
【００１５】
本発明の請求項５の発明は、前記計量部には、その端部近傍に、外側に飛び出した縁部からなる、計量した粉粒体を排出するためのガイド部が設けられていることを特徴とする請求項１から４のいずれか１項に記載の粉粒体計量機能付容器である。
【発明の効果】
【００１６】
本発明の粉粒体計量機能付容器は、簡単な構造で、且つ、計かった量の微調整ができ、手などを汚すことがない。
【図面の簡単な説明】
【００１７】
【図１】本発明の粉粒体計量機能付容器の一例を模式的に斜視で示した説明図である。
【図２】本発明の粉粒体計量機能付容器の一例の容器本体とキャップを分離した状態を模式的に斜視で示した説明図である。
【図３】本発明の粉粒体計量機能付容器の一例で、内容物の粉粒体を計量し、排出する方法を説明する概略図である。
【図４】本発明の粉粒体計量機能付容器の他の例のキャップを模式的に斜視で示した説明図である。
【発明を実施するための形態】
【００１８】
以下、本発明を実施するための形態につき説明する。
図１は、本発明の粉粒体計量機能付容器の一例を模式的に斜視で示した説明図である。
図２は、本発明の粉粒体計量機能付容器の一例の容器本体とキャップを分離した状態を模式的に斜視で示した説明図である。
【００１９】
本例の粉粒体計量機能付容器１００は、図１、図２の斜視図に示すように、容器本体１０とキャップ２０とからなっている。容器本体１０は、有底筒状の胴部１１を有し、またその上端部分に円形部１２を有している。キャップ２０は、円形部１２に回転可能に嵌合する嵌合部２１を有している。
【００２０】
キャップ２０は、嵌合部２１の上方に水平に設けられた天板部分２２と、天板部分２２のないキャップ側開口部２３と、キャップ側開口部２３に被さるように、部分的に設けられたドーム形状の計量部２４を有している。
【００２１】
容器本体１０の上端部には天面板１３が設けられ、天面板１３には本体側開口部１４が
設けられている。そして、円形部１２に嵌合部２１を嵌合させたときに、容器本体１０の天面板１３と、キャップ２０の天板部分２２は近接するように設けられている。
【００２２】
使用する前、流通の間などに、充填されている紛粒体が、こぼれないようにあるいは空気と触れないように、インナーシール材１５が、天面板１３の本体側開口部１４を塞ぐようにシールされている。使用する際には、容器本体１０からキャップ２０を外して、インナーシール材１５を剥がして取り去り、再度、容器本体１０にキャップ２０を嵌合させて用いる。
【００２３】
容器本体１０は、プラスチックで成形したカップ状容器などからなっていても良いが、本例の場合は紙カップからなっている。そして、紙カップの上端部分のトップカール部が、円形部１２になっていて、トップカール部の上端面に、本体側開口部１４の設けられた板状の天面板１３が接着している。
【００２４】
天面板１３は、プラスチック板からなっていても良いが、本例では、紙カップと同様に、片面に熱可塑性樹脂層の積層された板紙からなっていて、紙カップの内面に設けられ、トップカール部で上端に露出している熱可塑性樹脂層と熱融着して接着している。また、天面板１３の板紙の反対面にも熱可塑性樹脂層が設けられ、インナーシール材１５のイージーピール樹脂層と剥離可能にシールされている。
【００２５】
インナーシール材１５は、基材が薄紙や樹脂フィルム、あるいは、これらの組み合わされた複合材からなり、前述のイージーピール樹脂層が設けられている。また、基材にアルミニウム箔や無機酸化物蒸着フィルムなどを複合材のひとつの層として設けても良い。
【００２６】
また、紙カップや天面板１３にバリア層を設けても良い。バリア層は、インナーシール材１５と同様に、アルミニウム箔や無機酸化物蒸着フィルムなどを用いて、板紙と容器内面側の熱可塑性樹脂層の間に設けることが好ましい。
【００２７】
次に、内容物の粉粒体を計量し、排出する方法について説明する。
図３は、本発明の粉粒体計量機能付容器の一例で、内容物の粉粒体を計量し、排出する方法を説明する概略図である。
【００２８】
まず、図３（ａ）のように、容器本体１０とキャップ２０を、円形部１２と嵌合部２１の嵌合している部分で相対的に回転させ、本体側開口部１４とキャップ側開口部２３が重なり合うようにする。
【００２９】
そして、内容物の紛粒体３０を計量部２４に振り出し、図３（ｂ）のように、紛粒体３０を計量する。計量した後、本体側開口部１４とキャップ側開口部２３が重ならない位置に、容器本体１０を回転させ、容器本体１０の中から内容物の紛粒体３０がこれ以上計量部２４に出ないようにする。
【００３０】
これにより、一定量の紛粒体３０が計量部２４に残る。この計量部２４の紛粒体３０を図３（ｃ）のように、粉粒体計量機能付容器１００を回転させて、計量部２４を傾け、計量部２４の中の紛粒体３０を排出する。
【００３１】
これによって、内容物の紛粒体３０の一定量を計量して、使用することができる。また、計量部２４に振り出す紛粒体３０の量を加減して微調整することができる。そして、計量に当たって手を汚すこともない。
【００３２】
さらには、粉粒体計量機能付容器１００は構造が簡単であり、コスト的にも有利である
。また、容器本体１０を紙カップにすることによって、その胴部１１の外面に美粧性高い、印刷などの加飾を施すことができる。
【００３３】
図４は、本発明の粉粒体計量機能付容器の他の例のキャップを模式的に斜視で示した説明図である。
【００３４】
本発明の粉粒体計量機能付容器には、図４のキャップ２０ａのように、複数の目盛２５ａ、２５ｂを計量部２４に設けることができる。このようにすることによって、異なる量を計量して、排出させることができる。目盛は、計量部２４の内面に飛び出した部分的なリング状の凸部として設けることができる。また、上下で肉厚を変えて段差を設け、目盛としても良い。
【００３５】
また、計量部２４の端部近傍に、ビーカーの注ぎ出し部のような、外側に飛び出した縁部からなる、計量した粉粒体を排出するためのガイド部２６を設けることもできる。これにより、排出先の容器などの間口が狭くても、外にこぼすことなく排出して入れることができる。
【符号の説明】
【００３６】
１００・・・粉粒体計量機能付容器
１０・・・容器本体
１１・・・胴部
１２・・・円形部
１３・・・天面板
１４・・・本体側開口部
１５・・・インナーシール材
２０、２０ａ・・・キャップ
２１・・・嵌合部
２２・・・天板部分
２３・・・キャップ側開口部
２４・・・計量部
２５ａ、２５ｂ・・・目盛
２６・・・ガイド部
【図１】
2015221681.tif 000003
【図２】
2015221681.tif 000004
【図３】
2015221681.tif 000005
【図４】
2015221681.tif 000006